Podtech/llm-jp-corpus-v4-ja_patent huggingface dataset:
(57)【要約】      （修正有）【課題】温泉施設における給湯装置の構造であって、ボイラーやポンプなどの機械や動力を用いることなく真水温水を圧力一定に吐出することができるようにする。【解決手段】真水貯水槽１と、真水の流入口と流出口とを備えた熱交換器２と、槽内に該熱交換器２を取り付けた温泉水貯湯槽３と、真水貯湯槽４と、真水温水吐出口５とを有し、該真水貯水槽１から該真水温水吐出口５までの間をパイプ６を介して流水可能に一続きに接続し、且つ、該真水貯水槽１との高低落差を利用した自然水圧によって該パイプ６内を真水が流れる仕組みとし、さらには、流水途中に設けた該温泉水貯湯槽３内に温泉熱湯を満たして該熱交換器２で真水を暖め、お湯にして排出し、接続した真水貯湯槽４を経由することで真水温水を途切れることなく圧力一定に真水温水吐出口５から吐出できる構造とした。【選択図】図１
0003215948.tif 000002
【実用新案登録請求の範囲】
【請求項１】
真水貯水槽と、真水の流入口と流出口とを備えた熱交換器と、槽内に該熱交換器を取り付けた温泉水貯湯槽と、真水貯湯槽と、真水温水吐出口とを有し、該真水貯水槽から該真水温水吐出口までの間をパイプを介して流水可能に一続きに接続し、且つ、該真水貯水槽との高低落差を利用した自然水圧によって該パイプ内を真水が流れる仕組みとし、さらには、流水途中に設けた該温泉水貯湯槽内に温泉熱湯を満たして該熱交換器で真水を暖め、お湯にして排出し、接続した真水貯湯槽を経由することで真水温水を途切れることなく圧力一定に真水温水吐出口から吐出できるようにしたことを特徴とした温泉施設における給湯装置の構造。
【考案の詳細な説明】
【技術分野】
【０００１】  本考案は、温泉施設における給湯装置に関するものである。
【背景技術】
【０００２】  従来より、温泉施設における給湯装置に於いては、洗顔や上がり湯などを行うために真水をボイラーで沸かし、ポンプで真水温水を吐出する構造のものが多く提案されている。
【考案の概要】
【考案が解決しようとする課題】
【０００３】  しかしながら、上述したような従来の方法では、ボイラーやポンプなどの機械や動力を稼動させなければ、洗顔や上がり湯などを行うための真水温水を吐出できないという問題点を有していた。【０００４】  また、真水温水は圧力一定に吐出されることが望ましい。【０００５】  本考案は、上記従来有する問題点に鑑み、温泉施設における給湯装置に関し、ボイラーやポンプなどの機械や動力を用いることなく真水温水を圧力一定に吐出することができるようにしようとするものである。
【課題を解決するための手段】
【０００６】  本考案に於いては、真水貯水槽１と、真水の流入口と流出口とを備えた熱交換器２と、槽内に該熱交換器２を取り付けた温泉水貯湯槽３と、真水貯湯槽４と、真水温水吐出口５とを有し、該真水貯水槽１から該真水温水吐出口５までの間をパイプ６を介して流水可能に一続きに接続し、且つ、該真水貯水槽１との高低落差を利用した自然水圧によって該パイプ６内を真水が流れる仕組みとし、さらには、流水途中に設けた該温泉水貯湯槽３内に温泉熱湯を満たして該熱交換器２で真水を暖め、お湯にして排出し、接続した真水貯湯槽４を経由することで真水温水を途切れることなく圧力一定に真水温水吐出口５から吐出できる構造とした。
【考案の効果】
【０００７】  本考案によれば、温泉施設に於いて、洗顔や上がり湯などの真水温水を供給するためのボイラーやポンプなどの機械や動力を必要とせず、経済的かつ簡便な給湯装置の構造とすることができる。【０００８】  流水途中に真水貯湯槽を設けたことで、これに真水温水が常時適量貯まり、結果、途切れることなく圧力一定に真水温水吐出口からの吐出が期待できる。
【図面の簡単な説明】
【０００９】
【図１】  本考案による温泉施設における給湯装置の構造の実施例を示した概略図である。
【考案を実施するための形態】
【００１０】  以下、本考案の実施の形態について、図面を参照して説明する。
図１に示すように、本考案に於いては、真水貯水槽１と、真水の流入口と流出口とを備えた熱交換器２と、槽内に該熱交換器２を取り付けた温泉水貯湯槽３と、真水貯湯槽４と、真水温水吐出口５とを有し、該真水貯水槽１から該真水温水吐出口５までの間をパイプ６を介して流水可能に一続きに接続し、且つ、該真水貯水槽１との高低落差を利用した自然水圧によって該パイプ６内を真水が流れる仕組みとし、さらには、流水途中に設けた該温泉水貯湯槽３内に温泉熱湯を満たして該熱交換器２で真水を暖め、お湯にして排出し、接続した真水貯湯槽４を経由することで真水温水を途切れることなく圧力一定に真水温水吐出口５から吐出できる構造とした。
【符号の説明】
【００１１】  １    真水貯水槽
２    熱交換器
３    温泉水貯湯槽
４    真水貯湯槽
５    真水温水吐出口
６    パイプ
【図１】
0003215948.tif 000003
(57)【要約】      （修正有）【課題】多くの流し台用生ゴミ袋ホルダーが採用する吸盤による設置方法に替えて、吸盤よりも取り扱いが簡易でありながら安定した吸着力を有する磁石による設置方法を採用するものであり、且つ、非磁性材料で作られたシンクであっても設置可能な磁石着脱式の流し台用生ゴミ袋ホルダーを提供する。【解決手段】流し台用生ゴミ袋ホルダーの吸着用部材に磁石を用いることで、シンク７への設置が簡単で繰り返し着脱させても安定した吸着力を維持できる長所を有すると同時に、シンク裏面に取付けた第１吸着用部材６とホルダー部材２を取り付けた第２吸着用部材３とを一体的に用いることで、非磁性材料で作られたシンクであっても設置可能であり使い勝手の良い磁石着脱式の流し台用生ゴミ袋ホルダーを実現する。【選択図】図６
0003215950.tif 000002
【実用新案登録請求の範囲】
【請求項１】
流し台のシンクの側面部の裏面に設置される第１吸着用部材と、前記第１吸着用部材に対し、シンクの鋼板を挟んで第１吸着用部材に相対して磁力で吸着される第２吸着用部材と、前記第２吸着用部材に取り付けられ、生ゴミ袋の装着を可能としたホルダー部材とを備え、前記第１吸着用部材と第２吸着用部材とは、磁石と磁石との組み合わせである、磁石着脱式の流し台用生ゴミ袋ホルダー。
【考案の詳細な説明】
【技術分野】
【０００１】
本考案は磁石を用いて容易に流し台のシンクへの着脱を繰り返し行える機能性を有し、且つ、非磁性材料を用いたシンクでの使用をも可能とした磁石着脱式の生ゴミ袋ホルダーに関するものである。
【背景技術】
【０００２】
従来の流し台用生ゴミ袋ホルダーの多くは、吸盤によりシンクに設置する方法を採用している為、キズや汚れなどがあり表面が平滑でないなど、吸盤との相性が良くないシンクの場合には吸着力を保持することが困難であり、すぐに外れてしまうなどの状況を招いていた。
【０００３】
また、一般的な吸盤は耐久性に乏しく、素材の劣化や変形により吸着力が著しく低下してしまう場合もあった。
【先行技術文献】
【特許文献】
【０００４】
【特許文献１】実用新案登録第３０１９１９７号公報
【考案の概要】
【考案が解決しようとする課題】
【０００５】
流し台用生ゴミ袋ホルダーの吸着用部材には、吸盤よりも吸着力が安定すると同時に取り扱いが簡単で手軽な磁石を用いることが望ましいのだが、多くのシンクは加工性と耐食性に優れたオーステナイト系ステンレス鋼で作られており、この特殊鋼は非磁性材料であるが故に流し台用生ゴミ袋ホルダーをシンクに設置する手段として磁石を用いることはなかった。
【課題を解決するための手段】
【０００６】
そこで、流し台のシンク裏面に磁石により構成された第１吸着用部材を粘着テープなどで取り付け、シンクの表面に磁力を発生させることにより、非磁性材料であるシンクの鋼板をサンドイッチする形でシンク表面に磁石が吸着する環境を作り出した。
【０００７】
上記により発生させた磁力に対して、流し台用生ゴミ袋ホルダーの第２吸着用部材に組み込まれた磁石を反応させ、互いの磁力を引き合わせることで、非磁性材料で作られたシンクであっても設置可能な磁石着脱式の流し台用生ゴミ袋ホルダーを実現する。
【考案の効果】
【０００８】
本考案の磁石着脱式の流し台用生ゴミ袋ホルダーは非磁性材料で作られたシンクは勿論のこと、シンク表面の材質や形状の問題で吸盤式の流し台用生ゴミ袋ホルダーの使用が困難な場合であっても流し台用生ゴミ袋ホルダーの設置を可能とした。
【０００９】
また、吸盤式の流し台用生ゴミ袋ホルダーとの比較においても、磁石によりシンクに設置する仕様は簡易であると共に、繰り返し着脱させても吸着力を損なうことはなく安定した機能性を有している。
【００１０】
更に、生ゴミ袋の折り返し部分で流し台用生ゴミ袋ホルダー全体を覆うように装着できるので、見た目も奇麗であり清潔である。また、生ゴミ袋のセットも簡単で作業性がよい。
【図面の簡単な説明】
【００１１】
【図１】ホルダー部材に装着した生ゴミ袋を固定する為のストッパー部材の            斜視図である。
【図２】第２吸着用部材とホルダー部材により構成された流し台用生ゴミ袋            ホルダー本体の斜視図である。
【図３】流し台用生ゴミ袋ホルダー本体の側面図である。
【図４】流し台用生ゴミ袋ホルダー本体に生ゴミ袋を装着し、ストッパー部            材をセットする図である。
【図５】流し台のシンク裏面に第１吸着用部材を取り付けた図である。
【図６】セットした流し台用生ゴミ袋ホルダーをシンク表面に設置した図で            ある。
【考案を実施するための形態】
【００１２】
本考案の流し台用生ゴミ袋ホルダーは、流し台のシンクの側面部の裏面に設置される第１吸着用部材６と、前記第１吸着用部材６に対し、シンクの鋼板を挟んで第１吸着用部材６に相対して磁力で吸着される第２吸着用部材３と、第２吸着用部材３に取り付けられ、生ゴミ袋の装着を可能としたホルダー部材２とを備え、前記第１吸着用部材６と第２吸着用部材３とは、磁石と磁石との組み合わせである。
【００１３】
本考案の流し台用生ゴミ袋ホルダーは、磁石の異極同士が引き合う性質を利用して流し台のシンク７に設置する仕様の為、第１吸着用部材６及び第２吸着用部材３に組み込まれた磁石については、それぞれがシンク７に接する側に異極面を配置する必要が有り、これにより安定した着脱機能が確保される。
【００１４】
以下、添付図面に従って一実施例を説明する。
図４が示す要領でホルダー部材２に生ゴミ袋４を装着し、ストッパー部材１をセットすることで生ゴミ袋４を固定しズレ落ちないようにする。
【００１５】
また、生ゴミ袋４をセットする際に、生ゴミ袋の折り返し部分５で第２吸着用部材３を覆い隠した状態でセットしても差し支えない。
【００１６】
図５が示すようにシンク７の裏面に第１吸着用部材６を粘着テープ等で取り付ける。
【００１７】
流し台７が磁性材料であっても、第１吸着用部材６を用いることで、より強く安定した吸着力を得ることができる。
【００１８】
図６が示すようにシンク裏面に取り付けた第１吸着用部材６の磁力と第２吸着用部材３の磁力とを引き合わせながら第２吸着用部材３をシンク表面に吸着させることで、流し台用生ゴミ袋ホルダーをシンク７に設置して使用する。
【符号の説明】
【００１９】
１  ストッパー部材
２  ホルダー部材
３  第２吸着用部材
４  生ゴミ袋
５  生ゴミ袋の折り返し部分
６  第１吸着用部材
７  シンク
【図１】
0003215950.tif 000003
【図２】
0003215950.tif 000004
【図３】
0003215950.tif 000005
【図４】
0003215950.tif 000006
【図５】
0003215950.tif 000007
【図６】
0003215950.tif 000008
(57)【要約】【課題】熱エネルギーが集中し過ぎて、温度分布が不均一となり、局部的に火傷することを防ぐ、熱循環機能を有する衣類構造を提供する。【解決手段】熱循環機能を有する衣類構造は、外層衣類１、内層衣類２及び少なくとも１つの網状遮蔽袋３を備える。前記内層衣類２は、前記外層衣類１内に結合される。前記網状遮蔽袋３は、前記内層衣類２と前記外層衣類１との間に配設され、気体が流動する空間を形成する。前記網状遮蔽袋３内には、発熱部材４が配設される。前記発熱部材４は使い捨てカイロである。【選択図】図２
0003215486.tif 000002
【実用新案登録請求の範囲】
【請求項１】
外層衣類、内層衣類及び少なくとも１つの網状遮蔽袋を備えた、熱循環機能を有する衣類構造であって、
前記内層衣類は、前記外層衣類内に結合され、
前記網状遮蔽袋は、前記内層衣類と前記外層衣類との間に配設され、気体が流動する空間を形成することを特徴とする熱循環機能を有する衣類構造。
【請求項２】
前記網状遮蔽袋内には、発熱部材が配設されることを特徴とする請求項１に記載の熱循環機能を有する衣類構造。
【請求項３】
前記発熱部材は使い捨てカイロであることを特徴とする請求項２に記載の熱循環機能を有する衣類構造。
【考案の詳細な説明】
【技術分野】
【０００１】
本考案は、衣類構造に関し、特に、発熱部材を収容する少なくとも１つの網状遮蔽袋が結合され、発熱部材が発生させる熱エネルギーを、網状遮蔽袋が形成した空間で循環させる、熱循環機能を有する衣類構造に関する。
【背景技術】
【０００２】
従来の衣類の多くは、保温機能の設計上、熱エネルギーが逃げることを防ぐことができる上、いわゆる発熱保温ウェアと同様に熱源が身体であり、衣類の内側に使い捨てカイロなどの発熱部材を収納すると、衣類自体が有する遮蔽、保温機能により、熱エネルギーが集中し過ぎて、局部的に火傷する虞があった。そのため、熱エネルギーの循環機能が十分でなかった従来技術の問題点を改善する技術が求められていた。
【考案の概要】
【考案が解決しようとする課題】
【０００３】
本考案の主な目的は、熱エネルギーが集中し過ぎて温度分布が不均一となり、局部的に火傷することを防ぐ、熱循環機能を有する衣類構造を提供することにある。
【課題を解決するための手段】
【０００４】
上記課題を解決するために、本考案の第１の形態によれば、外層衣類、内層衣類及び少なくとも１つの網状遮蔽袋を備えた、熱循環機能を有する衣類構造であって、前記内層衣類は、前記外層衣類内に結合され、前記網状遮蔽袋は、前記内層衣類と前記外層衣類との間に配設され、気体が流動する空間を形成することを特徴とする熱循環機能を有する衣類構造が提供される。
【考案の効果】
【０００５】
本考案の熱循環機能を有する衣類構造は、内層衣類と外層衣類との間に配設された網状遮蔽袋が形成する空間で気体を流動させ、網状遮蔽袋中に発熱部材（例えば、使い捨てカイロ）を収納し、発熱部材が放出する熱エネルギーを、網状遮蔽袋により形成された空間で循環し、全身を温めることができる上、熱エネルギーが集中して温度が不均一となり局部的に火傷することを防ぐこともできる。
【図面の簡単な説明】
【０００６】
【図１】図１は、本考案の一実施形態に係る熱循環機能を有する衣類構造を示す斜視図である。
【図２】図２は、本考案の一実施形態に係る熱循環機能を有する衣類構造の使用状態の説明図である。
【考案を実施するための形態】
【０００７】
以下、本考案の実施形態について図に基づいて説明する。なお、これによって本考案が限定されるものではない。
【０００８】
図１及び図２を参照する。図１及び図２に示すように、本考案の一実施形態に係る熱循環機能を有する衣類構造は、外層衣類１と、外層衣類１内に結合された内層衣類２と、内層衣類２と外層衣類１との間に配設された少なくとも１つの網状遮蔽袋３と、を含む。
【０００９】
網状遮蔽袋３は、網状で通気機能を有する袋体である。網状遮蔽袋３の上部又は側部には、発熱部材４を収納する袋口が設けられる。この構成により、網状遮蔽袋３を外層衣類１と内層衣類２との間に配設すると、温度循環可能な空間が形成される。使用者が網状遮蔽袋３中に発熱部材４を収納すると、発熱部材４が放出する熱エネルギーを網状遮蔽袋３が形成した空間で循環させることができる。発熱部材４は、一般に市販されている使い捨てカイロその他保温効果を有する各種物品でもよい。
【００１０】
このような構成の衣類構造は、使用者が装着すると全身を温めることができるだけでなく、熱エネルギーが集中し過ぎて温度分布が不均一となり、局部的に火傷することを防ぐこともできる。
【００１１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１２】
１  外層衣類
２  内層衣類
３  網状遮蔽袋
４  発熱部材
【図１】
0003215486.tif 000003
【図２】
0003215486.tif 000004
(57)【要約】【課題】帽体を被ったときに暑苦しくなる従来技術の欠点を改善する、熱循環機能を有する帽体構造を提供する。【解決手段】熱循環機能を有する帽体構造は、帽体１及び少なくとも１つの網状遮断袋３を備える。前記帽体１は、帽体内層２を有する。前記網状遮断袋３は、前記帽体内層２上に配設され、発熱部材５を収容するとともに、使用者の頭部が接触する面に遮蔽シート４を有する。前記発熱部材５は使い捨てカイロである。前記網状遮断袋３は、使用者の頭部が接触する面に前記遮蔽シート４を有する。【選択図】図２
0003215485.tif 000002
【実用新案登録請求の範囲】
【請求項１】
帽体及び少なくとも１つの網状遮断袋を備えた、熱循環機能を有する帽体構造であって、
前記帽体は、帽体内層を有し、
前記網状遮断袋は、前記帽体内層上に配設され、発熱部材を収容するとともに、使用者の頭部が接触する面に遮蔽シートを有することを特徴とする熱循環機能を有する帽体構造。
【請求項２】
前記発熱部材は使い捨てカイロであることを特徴とする請求項１に記載の熱循環機能を有する帽体構造。
【考案の詳細な説明】
【技術分野】
【０００１】
本考案は、帽体構造に関し、特に、帽体の帽体内層に、発熱部材を収容する少なくとも１つの網状遮断袋が配設され、発熱部材が発生させた熱が帽体内で循環し、保温性に優れた熱循環機能を有する帽体構造に関する。
【背景技術】
【０００２】
一般に帽子は、頭部に被せて日焼け防止及び保温の機能を有するとともに頭部を保護する機能も有する。しかし、帽体に保温機能を持たせるために放熱を防ぐと、帽体を被ったときに暑苦しくなるという欠点があった。
【考案の概要】
【考案が解決しようとする課題】
【０００３】
本考案の主な目的は、帽体を被ったときに暑苦しくなるという従来技術の欠点を改善する、熱循環機能を有する帽体構造を提供することにある。
【課題を解決するための手段】
【０００４】
上記課題を解決するために、本考案の第１の形態によれば、帽体及び少なくとも１つの網状遮断袋を備えた、熱循環機能を有する帽体構造であって、前記帽体は、帽体内層を有し、前記網状遮断袋は、前記帽体内層上に配設され、発熱部材を収容するとともに、使用者の頭部が接触する面に遮蔽シートを有することを特徴とする熱循環機能を有する帽体構造が提供される。  
【０００５】
前記発熱部材は使い捨てカイロであることが好ましい。  
【０００６】
前記網状遮断袋は、使用者の頭部が接触する面に前記遮蔽シートを有することが好ましい。
【図面の簡単な説明】
【０００７】
【図１】図１は、本考案の一実施形態に係る熱循環機能を有する帽体構造の模式図である。
【図２】図２は、本考案の一実施形態に係る熱循環機能を有する帽体構造に収容された発熱部材の使用状態の説明図である。
【図３】図３は、本考案の一実施形態に係る熱循環機能を有する帽体構造の模式図である。
【図４】図４は、本考案の一実施形態に係る熱循環機能を有する帽体構造を使用者が頭部に被ったときの使用状態の説明図である。
【考案を実施するための形態】
【０００８】
以下、本考案の実施形態について図に基づいて説明する。なお、これによって本考案が限定されるものではない。
【０００９】
図１〜図４を参照する。図１〜図４に示すように、本考案の一実施形態に係る熱循環機能を有する帽体構造は、ひさしを有する帽体に応用することもできるし、ひさしが無い帽体に応用することもできる。図１〜図４に示すように、本実施形態に係る熱循環機能を有する帽体構造は、帽体内層２を有する帽体１と、帽体内層２上に配設され、発熱部材５を収容する少なくとも１つの網状遮断袋３と、を有する。
【００１０】
網状遮断袋３は、網状で通気機能を有する袋体である。網状遮断袋３の上部又は側部には、発熱部材５を収納する袋口が設けられる。帽体１内に配設された発熱部材５は、熱を発生させ、熱を帽体１内で循環させて高い保温効果が得られる。発熱部材５は、一般に市販されている使い捨てカイロその他保温効果を有する各種物品でもよい。
【００１１】
また、網状遮断袋３は、使用者の頭部が接触する面に遮蔽シート４を有する。網状遮断袋３中に発熱部材５が収納されたときに、遮蔽シート４により発熱部材５が隔離されるため、使用者の頭部が発熱部材５に直接触れて火傷することを防ぐ。
【００１２】
上述した説明から分かるように、本考案の熱循環機能を有する帽体構造は、帽体内層２に、発熱部材５を収容する少なくとも１つの網状遮断袋３が配設され、発熱部材５から発生した熱が網状遮断袋３により帽体１内で循環されるため、使用者が帽体を被っても暑苦しくなることがない上、高い保温効果が得られる。
【００１３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１４】
１  帽体
２  帽体内層
３  網状遮断袋
４  遮蔽シート
５  発熱部材
【図１】
0003215485.tif 000003
【図２】
0003215485.tif 000004
【図３】
0003215485.tif 000005
【図４】
0003215485.tif 000006
(57)【要約】【課題】  製造が容易で安価であるとともに、見栄えの良い、履歴書送付等に好適に使用される透視防止封筒を提供する。【解決手段】  白色紙よりなる封筒の内面に、外部からの透視を防止するための白色印刷よりなる透視防止層５が設けられてなる透視防止封筒。【選択図】図２
0003215443.tif 000002
【実用新案登録請求の範囲】
【請求項１】
白色紙よりなる封筒の内面に、外部からの透視を防止するための白色印刷よりなる透視防止層が設けられてなる透視防止封筒。
【請求項２】
前記透視防止層が、多数の極小模様が高密度に配置されたものよりなる請求項１記載の透視防止封筒。
【請求項３】
履歴書送付用である請求項１または２記載の透視防止封筒。
【考案の詳細な説明】
【技術分野】
【０００１】  この考案は、透視防止構造を持つ封筒に関する。
【背景技術】
【０００２】  履歴書を送付する封筒の場合、その記載内容が封筒外部から透けて見えることは好ましくない。したがって、従来においては２重構造の封筒を使用してすることでその記載内容が外部から透視されることを防止できるようにしている。また、請求書等の場合は、例えば、別途の折り畳んだ紙間に請求書を挟み込むようにして封筒内に入れている。
【考案の概要】
【考案が解決しようとする課題】
【０００３】  上記の２重構造の封筒は製造に手間がかかり、製品の値段が高くなる問題がある。また、別途の折り畳んだ紙間に請求書等を挟み込み封筒内に入れるのには手間がかかる問題がある。この考案は、製造が容易で安価であるとともに、見栄えの良い透視防止封筒を提供することを目的とする。
【課題を解決するための手段】
【０００４】  この考案では、白色紙よりなる封筒の内面に、外部からの透視を防止するための白色印刷よりなる透視防止層が設けられてなる透視防止封筒を提供する。【０００５】  上記透視防止封筒は、内面に設けられた透視防止層により光の通過が遮断され、内容物への記載内容が外部から透視されることが防止される。とくに、透視防止層が白色であるので全体が白色で見栄えが良いものであって、内容物の透視の恐れがない透視防止封筒が得られる。【０００６】  透視防止層は内面の全てを覆うように設けられてもよいが、多数の極小模様が高密度に配置された形態とされてもよい。その場合は極小模様を文字等として透視防止封筒の製造者を表示することで、別途製造者の印刷表示を行うことが省略できる。【０００７】  この考案の透視防止封筒は、履歴書送付用、請求書送付用として好適に用いられる。
【考案の効果】
【０００８】  この考案によれば、製造が容易で安価であるとともに、真っ白で見栄えが良く綺麗であり、履歴書送付用等として好適に使用される透視防止封筒が得られる。
【図面の簡単な説明】
【０００９】
【図１】  この考案の透視防止封筒の実施形態の正面図
【図２】  この考案の透視防止封筒の実施形態の展開内面図
【図３】  この考案の透視防止封筒の実施形態の要部拡大図
【考案を実施するための形態】
【００１０】  図１はこの考案の透視防止封筒１の正面図、図２は同展開内面図、図３は図２の部分拡大図である。
【００１１】  透視防止封筒１は履歴書送付用のもので、白色紙よりなり、その前面の上部には郵便番号の記載部の表示３が、下部には「履歴書在中」の表示３がそれぞれ印刷形成されている。透視防止封筒１の内面にはその全面に外部からの透視を防止するための白色印刷よりなる透視防止層５が設けられている。図２において点線域７に多数の極小文字８が高密度に配置されて透視防止層５が設けられている。
【００１２】  透視防止層５における極小文字８は２ｍｍ程度の大きさで、図３（図２の円形Ａ部分の拡大図）に示すように、透視防止封筒１の製造者「ＡＢＣＤ」の表示が斜め方向に多数段隙間を大きく取ることなく連記されている。その製造者表示を確認することで透視防止封筒１の製造者が認知される。なお、図３においては、「ＡＢＣＤ」の極小文字８を判別が可能なように黒色で表しているが、実際には白色である。
【００１３】  透視防止封筒１は、上記のように内面の全面に透視防止層５が設けられていることで、その透視防止層５が光の通過を遮断し、外部から内部の履歴書の記載内容が透視されることが確実に防止される。とくに、透視防止層５が白色であるので全体が白色で見栄えが良く綺麗なものとなっている。透視防止層５が有色とされた場合には、その色が外部から若干見えて見栄えが損なわれる。また、透視防止層５が製造者を示すものであるので、別途製造者の印刷表示を行うことが省略される。
【００１４】  上記透視防止封筒１の製造例を説明する。複数の透視防止封筒１を得るための白色基材紙の表面の、複数の封筒紙片（透視防止封筒１の製袋前の紙片で図２の外形を備える）に対応する複数位置それぞれにおいて所定位置に表示３それぞれの印刷を行う。白色基材紙としては白色度が高く、かつ、若干厚みのあるものを使用する。上記の表示３それぞれの印刷が複数個行われた白色基材紙の裏面の、封筒紙片に対応する複数位置それぞれの所定位置に白色印刷により透視防止層５を形成する。白色印刷は約０．２２ｍｍ厚において行う。次に、白色基材紙を封筒紙片を得る位置それぞれの周囲位置において裁断し、その裁断されたものにおいて型抜きして封筒紙片（図２に示すもの）を得る。次にその封筒紙片を折り曲げ貼り合わせて製袋し、差し入れ口縁に糊付けするとともに離型紙を付設することで透視防止封筒１が完成される。
【符号の説明】
【００１５】  １  透視防止封筒
３  表示
５  透視防止層
８  極小文字
【図１】
0003215443.tif 000003
【図２】
0003215443.tif 000004
【図３】
0003215443.tif 000005
(57)【要約】      （修正有）【課題】人が住宅を訪問等して表札に近づけば住所や氏名の文字を見ることができるが、単なるとおりすがりの人間やとおりすがりの車の中からは表札の住所や氏名の文字を見ることができないようにするプライバシー侵害防止用表札を提供する。【解決手段】家庭用電源に電源コードで接続するか又は内蔵させた電池により電気式の表示をする表札の一角に、感知距離を設置条件に合うよう最短に制限する感知専用センサー２を装備させ、人が表札に近づいた時に感知専用センサーが働いて電気式の表示により表札の表示面３に住所や氏名の文字が表示されるようにする。【選択図】図１
0003215442.tif 000002
【実用新案登録請求の範囲】
【請求項１】
設置条件に合うよう感知距離を４０ｃｍ以内にしたりして最短に制限する感知専用センサーを装備し、普段は表示面に居住者についての文字が表示されていない表札に人が近づくと、感知専用センサーが働き電気式の表示により表示面に居住者についての文字が表示されるプライバシー侵害防止用表札。
【考案の詳細な説明】
【技術分野】
【０００１】
本考案は、普段は住宅の表札には住所や氏名が表示されていないので離れた場所からは見ることができず、人が訪問等をして近くに寄った時に表札に自動で住所や氏名が表示されるようにしたものである。
【背景技術】
【０００２】
従来、住宅に掲げてある表札の多くは、普段は住所や氏名が表示されている。
【０００３】
しかし、道路沿いの住宅で表札に住所や氏名が表示されていると、とおりすがりの興味本位の者が見覚えて、住人の意に反してプライバシーを侵害されたりしかねないし又、断絶していたい知人にとおりすがりに一目で住居を知られてしまい、落ち着いて暮らせないという事にもなりかねない。
【０００４】
従来の表札には、文字を定着させたものの他に、訪問者が液晶画面等を操作してメッセージをやりとりするものや第三者が住宅内に不正侵入を計った場合の対策を施したもの等がある。
【０００５】
しかし、普段は住所や氏名が表示されている表札では、例えば道路沿いに建つ住宅に住む人は、大切な用もないとおりすがりの人間やとおりすがりの車の中から住所や氏名を見られて、プライバシーが侵害されるという事にもなりかねない。
【０００６】
又、液晶画面等に触ったりボタンを押して操作する表札に関して、表札の性格上手数をなくするのが好ましいこともある。
【先行技術文献】
【特許文献】
【０００７】
【特許文献１】特許第２７６０３４０号公報
【特許文献２】特許第５０６６２３０号公報
【考案の概要】
【考案が解決しようとする課題】
【０００８】
解決しようとする問題点は、人が訪問等をして表札に近づけば住所や氏名を見ることができるが、単なるとおりすがりの人間やとおりすがりの車の中からは表札の住所や氏名を見ることができないようにすることである。
【課題を解決するための手段】
【０００９】
本考案は、電気式の表示をする表札の一角に、感知距離を制限する感知専用センサー（２）を装備することにより解決する。感知専用センサーの代表的なものに赤外線センサーがある。
【考案の効果】
【００１０】
本考案のプライバシー侵害防止用表札は、道路沿いの住宅に住む人が、とおりがかりの人間やとおりがかりの車の中から表札の住所や氏名を見覚えられたり探し当てられたりすることを忌避することができるので、プライバシー権を侵害されにくい。
【図面の簡単な説明】
【００１１】
【図１】図１は人が近づいた時に表示面に住所や氏名が表示されたプライバシー侵害防止用表札である。
【図２】図２は図１のプライバシー侵害排斥用表札の近くに人がいない場合のものである。
【図３】図３は感知専用センサーを首振り式にし、感知面が下側を向いているプライバシー侵害防止用表札である。
【考案を実施するための形態】
【００１２】
プライバシー侵害防止用表札は、いくつものセンサーを他に付加するというようなことはせず、アダプター付きの電源コードで接続や内蔵電池の電源があればよいので取り付けが易しい。
【００１３】
プライバシー侵害防止用表札（１）は、設置条件に合うよう感知距離を４０ｃｍ以内にしたりして最短に制限する感知専用センサー（２）を装備し、普段は表示面（３）に居住者についての住所や氏名の文字が表示されていない表札に人が近づくと、感知専用センサーが働き電気式の表示により表示面に居住者についての住所や氏名の文字が表示される。
【実施例１】
【００１４】
LED等の電気で発光する部品を用いて、プライバシー侵害防止用表札が文字を表示できるようにする。
【実施例２】
【００１５】
書き込みしたSDカード等の記憶媒体を装着させて、ディスプレイ搭載のプライバシー侵害防止用表札が文字を表示できるようにする。
【産業上の利用可能性】
【００１６】
小型なので、取り付け箇所の材料に不都合がなければ取り付けることができ、既存の住宅に普及させることができる。
【符号の説明】
【００１７】
１    プライバシー侵害防止用表札
２    感知専用センサーの感知面
３    表示面
４    回転軸中心線
【図１】
0003215442.tif 000003
【図２】
0003215442.tif 000004
【図３】
0003215442.tif 000005
【手続補正書】
【提出日】平成30年1月2日(2018.1.2)
【手続補正１】
【補正対象書類名】実用新案登録請求の範囲
【補正対象項目名】全文
【補正方法】変更
【補正の内容】
【実用新案登録請求の範囲】
【請求項１】
設置条件に合うよう感知距離を４０ｃｍ以内にしたりして最短に制限する感知専用センサーを装備し、普段は表示面に居住者についての文字が表示されていない表札に人が近づくと、感知専用センサーが働きLED等の電気で発光する部品を用いることにより表示面に居住者についての文字が表示されるプライバシー侵害防止用表札。
【請求項２】
設置条件に合うよう感知距離を４０ｃｍ以内にしたりして最短に制限する感知専用センサーを装備し、普段は表示面に居住者についての文字が表示されていない表札に人が近づくと、感知専用センサーが働きディスプレイの表示面に居住者についての文字が表示されるプライバシー侵害防止用表札。
(57)【要約】      （修正有）【課題】印刷物がスペーサ内に挿入されると固定され、スペーサが額縁のようになり見栄えが良い掲示用ケースを提供する。【解決手段】ケース表面透明板２と、ケース裏面硬質板３と、ケース表面透明板２とケース裏面硬質板３をあわせた間の四角状の周囲に、短尺のスペーサ短尺４、５と、長尺のスペーサ長尺６、７を備え、スペーサ短尺４、５と、スペーサ長尺６は、ケース表面透明板２とケース裏面硬質板３の両方に接着され、スペーサ長尺７は、ケース裏面硬質板３か、ケース表面透明板２のどちらかのみ接着した構成にした。【選択図】図２
0003215429.tif 000002
【実用新案登録請求の範囲】
【請求項１】
ケース表面透明板２と、ケース裏面硬質板３と、ケース表面透明板２とケース裏面硬質板３をあわせた間の四角状の周囲に、短尺のスペーサ短尺４、５と、長尺のスペーサ長尺６、７を備え、スペーサ短尺４、５と、スペーサ長尺６は、ケース表面透明板２とケース裏面硬質板３の両方に接着され、スペーサ長尺７は、ケース裏面硬質板３か、ケース表面透明板２のどちらかのみ接着した構成で、スペーサ長尺７の接着しない側から、印刷物を出し入れするようにしたことを特徴とする掲示用ケース。
【考案の詳細な説明】
【技術分野】
【０００１】        印刷物を掲示する掲示板用ケースに関する。
【背景技術】
【０００２】従来は、ケース表面透明板とケース裏面板を合わせて周囲３辺を、スペーサを介して接着した掲示板用ケースであった。残り１辺は、印刷物を挿入できるようにスペーサなしで開放状態にしていた。
【考案の概要】
【考案が解決しようとする課題】
【０００３】従来の掲示板用ケースでは、周囲３辺を、スペーサを介して接着しているが、残り１辺は、印刷物を挿入できるようにスペーサなしで開放しているので、挿入した印刷物が固定されず、ずれ落ちる可能性があった。
また、スペーサが３辺のみであったので見栄えがしないという課題があった。
【課題を解決するための手段】
【０００４】  ケース表面透明板２と、ケース裏面硬質板３と、ケース表面透明板２とケース裏面硬質板３をあわせた間の四角状の周囲に、短尺のスペーサ短尺４、５と、長尺のスペーサ長尺６、７を備え、スペーサ短尺４、５と、スペーサ長尺６は、ケース表面透明板２とケース裏面硬質板３の両方に接着され、スペーサ長尺７は、ケース裏面硬質板３か、ケース表面透明板２のどちらかのみ接着した構成にしたことを特徴とする掲示用ケースである。
【考案の効果】
【０００５】      本考案の掲示板用ケースでは、掲示板用ケースの周囲の４辺にスペーサを備えケース裏面硬質板３とケース表面透明板２の両方に接着され、残り１辺のみ、ケース裏面硬質板３か、ケース表面透明板２のどちらかのみ接着されているので、その開放された辺から印刷物を容易に出し入れできる。一旦、印刷物が。周囲の４辺のスペーサ内に挿入されると固定され、落ちることがない。又、４辺にスペーサがあるので、スペーサが額縁のようになり見栄えがよい。
また、印刷物の出し入れのできる見栄えのする裏面に、粘着テープ又はマグネットシートを接着すると、どこにでも貼り付けることができる。
【図面の簡単な説明】
【０００６】
【図１】  本願考案の掲示板用ケース
【図２】  組立図
【考案を実施するための形態】
【０００７】      図１は、本願考案の掲示板用ケースの構成、図２に組立図を示す。
図２に示すように本発明の掲示板ケース１は、ケース表面透明板２と、ケース裏面硬質板３と、ケース表面透明板２とケース裏面硬質板３の間の周囲に備えた、４つのスペーサ（スペーサ短尺４、５と、スペーサ長尺６、７）からなる。
【０００８】スペーサ短尺４、５と、スペーサ長尺６は、ケース表面透明板２とケース裏面硬質板３の両方に接着され、印刷物を挿入する側のスペーサ長尺７は、ケース裏面硬質板３かケース表面透明板２のどちらかのみに接着し、他面は開放された状態である。
スペーサ短尺４、５と、スペーサ長尺６、７を備えたケース裏面硬質板３に、図２の矢印Ｐ１のように、ケース表面透明板２を被せて、印刷物を出し入れする以外のスペーサはケース表面透明板２とケース裏面硬質板３の両方に接着し、印刷物を挿入する側のスペーサ長尺７は、ケース裏面硬質板３かケース表面透明板２のどちらかのみに接着し、他面は開放する。
【０００９】図１に示すように、印刷物８は、ケース表面透明板２に接着していないスペーサ長尺７から挿入し、印刷物を、４つのスペーサに囲まれた領域に収納する。
本考案の掲示板ケースのケース裏面硬質板の裏面に両面テープ又はマグネットシートを、接着すると屋外・屋内どこにでも簡単に掲示板になる。
【産業上の利用可能性】
【００１０】印刷物を周囲の４辺のスペーサ内に挿入されると固定され、落ちることがない。
又、４辺にスペーサがあるので、スペーサが額縁のようになり見栄えがよい商品を提供する。
【符号の説明】
【００１１】１    掲示板用ケース
２    ケース表面透明板
３    ケース裏面硬質板
４    スペーサ短尺
５    スペーサ短尺
６    スペーサ長尺
７    スペーサ長尺
８    印刷物
Ｐ１  ケース表面透明板２とケース裏面硬質板３の合体
【図１】
0003215429.tif 000003
【図２】
0003215429.tif 000004
(57)【要約】      （修正有）【課題】洗濯物が絡まらない様にする爲のパルセーターを提供する。【解決手段】中心部に直径約５ｃｍの円筒状の棒を有するパルセーターであって、前記棒が前記パルセーターの中心部から洗濯槽の上部迄の長さを有する。棒がついたパルセーターで洗濯物の効率を良くする。【選択図】図１
0003215494.tif 000002
【実用新案登録請求の範囲】
このパルセーターは直径約５ＣＭの円筒状で長さパルセーターの中心部より洗濯槽の上部迄
【考案の詳細な説明】
【技術分野】
【０００１】〔この考案は洗濯物が絡まる事が少いのが特長である
【從来の技術】
【０００２】從来のパルセーターは平面である
【０００３】考案が解決しようとする課題
洗濯時間が短かくて済む
【０００４】課題を解決する爲の手段
本案は洗濯物が捩じれる事が無い様効果的で期待出来る
【０００５】渦潮の様な渦巻状態でないため洗濯物が絡まない
水流で奇麗に洗える
【０００６】從来のパルセーターに無い効果を出し度い
【０００７】実施例
捩れないので洗濯物がより奇麗になる
0003215494.tif 000003
【手続補正書】
【提出日】平成29年8月3日(2017.8.3)
【手続補正１】
【補正対象書類名】実用新案登録請求の範囲
【補正対象項目名】全文
【補正方法】変更
【補正の内容】
【実用新案登録請求の範囲】
【請求項１】
中心部に直径約５ｃｍの円筒状の棒を有するパルセーターであつて、
前記棒が前記パルセーターの中心部から洗濯槽の上部迄の長さを有する、ことを特長とするパルセーター
【手続補正２】
【補正対象書類名】明細書
【補正対象項目名】全文
【補正方法】変更
【補正の内容】
【考案の詳細な説明】
【技術分野】
【０００１】［この考案は洗濯物が絡まる事が少いのが特長である
【背景技術】
【０００２】［従来のパルセーターは平面である【０００３】考案が解決しようとする課題
洗濯時間が短かくて済む【０００４】課題を解決する為の手段
本案は洗濯物が捩じれる事が無い様効果的で期待出来る【０００５】渦潮の様な渦巻状態でない為洗濯物が絡まない
水流で奇麗に洗える【０００６】従来のパルセーターに無い効果を出し度い【０００７】実施例
捩れないので洗濯物がより奇麗になる
【図面の簡単な説明】
【０００８】
【図１】パルセーターを横から見た図
【図２】パルセーターを上から見た図
【手続補正３】
【補正対象書類名】図面
【補正対象項目名】全図
【補正方法】変更
【補正の内容】
【図１】
0003215494.tif 000004
【図２】
0003215494.tif 000005
(57)【要約】      （修正有）【課題】忙しい最中でも一度に簡単に食器洗い出来る食器洗い桶を提供する。【解決手段】食器洗い桶において、（１）器を乗せる穴空きケースと最底部に穴を設けた本体外側桶１、（２）器を乗せ食べ残しが剥離して逆止弁効果を有した穴から落下する穴空きケース２、（３）食べ残しが本体最底部の穴に設けた網カゴに沈殿し其のままゴミ袋へ捨てられる使い捨て網カゴ３、（４）食べ残しを剥離させるため洗剤入りの水にタイマーで変化を与え穴から落下させる水流発生機４、以上の（１）〜（４）の構成からなる。【選択図】図１
0003215496.tif 000002
【実用新案登録請求の範囲】
【請求項１】
食事後の器を食べ残しや油の汚れ丸ごと其のまま、洗剤入りの水流を有した桶に投入するだけで、汚れは剥離して器を乗せる上カゴに無数の逆止弁効果を有した穴から落下、タイマーで水流を止めたり変化を与えると重みで最底部に設けた網カゴに沈殿、きれいになった器は水道水ですすいで食器棚に格納する。網かごに残った汚れは、水分を自然落下で切るか高速回転で水分を強制除去し取外し其のままゴミ袋へ捨てる事が出来る荒目の袋で、ゴミ袋に捨てられる使い捨て網カゴを有している。
食事後の器を丸ごと直ぐ其のまま桶に投入するだけで、手間暇を全く要せずシンクの外にも置け、溜まったゴミも処理出来る場所をも取らない一連の構造を有した簡単な食器洗い桶。
【考案の詳細な説明】
【技術分野】
【０００１】  本考案は、食洗機に関するものである。
【背景技術】
【０００２】  ビルトイン食洗機等は高価で設置場所を取り、器を格納する前後に手間暇がかかる。又、シンクで洗う場合は食べ残しや油汚れ等の除去をして、スポンジに洗剤を付けて一枚一枚を桶から取出してシンク内で洗うため、手間を掛けず簡単に洗う自動化は、器の一枚一枚の形状や大きさが違うため複雑な構造になり、高価で広い場所を独占するスペースが必要となる。
【考案の概要】
【考案が解決しようとする課題】
【０００３】食時が済んだ後の器を、其のまま丸ごとシンク内にも収まる程度の桶に漬けるだけで、食べ残しや油汚れ等一連の動作を省き、水分を含んだ食べ残しは水分を取り除き、簡単にゴミ袋へ捨てられ桶にすれば構造はシンプルと成る、同時に構造上の関係で製作費用は低く設定出来る。
取扱いを単純にすることで、簡単な食器洗い器として一連の課題は解決される。
【課題を解決するための手段】
【０００４】  本考案は、食べ残しや油汚れ等丸ごと、器を乗せる上層ケースに無数の穴を設け、洗剤を混入した水に漬け強い複雑な水流で汚れを洗剤の剥離効果で取り除いて、ケースの穴から桶の底に落下させれば、最底部に設けた網カゴに剥離した汚れは沈殿する。
網カゴの沈殿物は水分の度合いに応じて必要な時取外して、尚水分が残る様であれば高速回転で取り除けば其のままゴミ袋に捨てられる。
【考案の効果】
【０００５】▲１▼食事後のかたずけ物は全部丸ごとまとめて、桶に投入出来るので単純で手間が掛らない
▲２▼洗い終る迄、従来の複数の容器は不要となる
▲３▼食事後の器を桶に残したまま流し台の傍に置けば、シンクは従来の使い方が出来る
▲４▼何時でも洗えるので、特に夏場では腐敗の懸念に悩まされない
▲５▼食べ残し物は桶底の網カゴに溜まって水分が切れれば、取外してゴミ袋に捨てられる
▲６▼強力な洗剤が混ざって居る水流で剥離するので、スポンジでの手洗いは不要となる
▲７▼何時でも好きな時に蛇口の水で洗い流せば、食洗完了。
【図面の簡単な説明】
【０００６】
【図１】  本考案の全体の断面図である。
【考案を実施するための最良の形態】
【０００７】  桶を二重底にして、上部ケースには食べ残した物が通過出来る程度の穴を無数開ける、器ごと任意に置く桶の中へは水を張って洗剤を混入する、複雑な水流等を発生させて器から剥離すると開口穴を通過し底に落ち最底に設けた網カゴに溜まる、時間を置くか高速回転で水分を極力除去すれば袋を取外して、そのままゴミ袋に捨てられる。
【実施例】
【０００８】  構造が簡単なのでホームセンターで二重底のケースを購入して試作品で実験を繰返す事が出来たので、水流発生装置や適応洗剤等を選別組合せてデーターを集めて、改造を繰返し実施時の仕様書を作成することで実施のためのモデルを試作する。
【符号の説明】
【０００９】１．外側の桶
２．上段の穴空きケース；上部入口穴広く下部出口穴の狭い逆止弁効果の穴
３．桶底部の網カゴ；荒目の使い捨て袋
４．水流発生装置：回転渦巻き、超音波、振動発生、タイマーコントロール
【図１】
0003215496.tif 000003
【手続補正書】
【提出日】平成30年1月8日(2018.1.8)
【手続補正１】
【補正対象書類名】実用新案登録請求の範囲
【補正対象項目名】全文
【補正方法】変更
【補正の内容】
【実用新案登録請求の範囲】
【請求項１】
［食器洗い桶において、
（１）器を乗せる穴空きケースと最底部に穴を設けた本体外側桶、
（２）器を乗せ食べ残しが剥離して逆止弁効果を有した穴から落下する穴空きケース、
0003215496.tif 000004
（４）食べ残しを剥離させるため洗剤入りの水にタイマーで変化を与え穴から落下させる水
以上の（１）〜（４）の構成からなることを特徴とする食器洗い桶。」
【手続補正書】
【提出日】平成30年1月10日(2018.1.10)
【手続補正１】
【補正対象書類名】実用新案登録請求の範囲
【補正対象項目名】全文
【補正方法】変更
【補正の内容】
【実用新案登録請求の範囲】
【請求項１】
「食器洗い桶において、
（１）器を乗せる穴空きケースと最底部に穴を設けた本体外側桶、
（２）器を乗せ食べ残しが剥離して逆止弁効果を有した穴から落下する穴空きケース、
（３）食べ残しが本体最底部の穴に設けた網カゴに沈殿し其のままゴミ袋へ捨てられる使い捨て網カゴ，
（４）食べ残しを剥離させるため洗剤入りの水にタイマーで変化を与え穴から落下させる水流発生機、
以上の（１）〜（４）の構成からなることを特徴とする食器洗い桶。」
(57)【要約】      （修正有）【課題】食器に透明カバーを重ねた状態で使用することにより、低コストで簡単に模様替えを楽しめる食器を提供する。【解決手段】食器１の上面形状に合わせた透明カバー２を製作し、食器上面に洗浄時に消すことができる文字、イラスト等を筆記具で自由に描き、その上に透明カバーを重ねる。その状態で料理を載せて食事を楽しむことができる。【選択図】図１
0003215499.tif 000002
【実用新案登録請求の範囲】
【請求項１】
使用者が自由に文字、イラスト等を描くことが可能な上面からなる食器と、前記食器の上面形状並びに大きさと略同一の透明カバーとからなり、前記食器に前記透明カバーを重ねて使用するように構成した食器。
【請求項２】
前記透明カバーの一部に、文字、イラスト等の装飾をした請求項１記載の食器。
【考案の詳細な説明】
【技術分野】
【０００１】    本考案は食器の上面形状に合わせた透明カバーを製作し、食器と透明カバーを重ねた  状態で食事に使用する食器に関するものである。
【背景技術】
【０００２】  従来、食器や容器において図柄や模様等を変えるためには、図柄や模様等を変えるための紙葉やプレートとそれらを固定するための複雑な構造が必要であり、消費者自らが食器の図柄、模様を簡単に変える方法がなかった。
【先行技術文献】
【０００３】
【特許文献１】特開２００８−０２９５５４号  公報
【０００４】
【特許文献２】特開２０１４−２０１３４７号  公報
【考案の概要】
【考案が解決しようとする課題】
【０００５】  消費者が食器の図柄や模様を変えるには、書き換え可能な紙葉やプレートとそれらを固定するための複雑な構造を設けるか、消費者は料理に合わせて複数の食器を購入する必要があった。本項案では、これらの課題を解決するものである。
【課題を解決するための手段】
【０００６】  本考案では、使用者が自由に文字、イラスト等を描くことが可能な上面からなる食器と、前記食器の上面形状並びに大きさと略同一の透明カバーとからなり、前記食器に前記透明カバーを重ねて使用するように構成した食器とすることで、問題点を解決している。
【考案の効果】
【０００７】  本考案により、透明カバー付きの食器は、食器上面に文字、イラスト等を筆記具で自由に描き、その上に透明カバーを重ねた状態で料理を載せて食事に使用することが可能である。食器洗浄時に文字、イラスト等は簡単に消すことができるので、毎回違う図柄、模様の変化、工夫を楽しむことができる。また食器の上面に模様付きの紙、布を載せて透明カバーで挟むことによっても上記と同様の効果が得られる。消費者は違う図柄の食器を複数個購入するのに比べて、気軽に食器の模様替えを楽しむことができる。
また、幼児に使用する場合、漫画やアニメのキャラクタ、ひらがな文字を描けば知育玩具としての効果も得られる。幼児の学習意欲を高めると共に、簡単に絵を描ける食器を用意することで、自発的なお絵描きや文字の練習を促す効果がある。
【図面の簡単な説明】
【０００８】
【図１】本考案の透明カバー付きの食器の断面の概念図である
【図２】本考案の透明カバー付きの食器の上面図である。
【考案を実施するための形態】
【０００９】  本考案の透明カバー付きの食器は、食器上面に文字、イラスト等を筆記具で自由に描き、その上に透明カバーを重ねた状態で料理を載せて食事に使用する。食器洗浄時に文字、イラスト等は簡単に消すことができる。
【実施例】
【００１０】  以下、図面に従って本考案の実施例を説明する。
図１は本考案の透明カバー付き食器の断面図である。１食器、２透明カバーの順に積層されている。図２の例のように１食器の上面に３文字、イラスト等を筆記具で自由に描き、その上に透明カバーを重ねた状態で料理を載せて食事に使用する。【００１１】  ２透明カバーの一部に、文字、イラスト等の装飾をしたものを上述と同様に使用する。
【符号の説明】
【００１２】  １  食器
２  透明カバー
３  文字、イラスト
【図１】
0003215499.tif 000003
【図２】
0003215499.tif 000004
【手続補正書】
【提出日】平成30年1月4日(2018.1.4)
【手続補正１】
【補正対象書類名】実用新案登録請求の範囲
【補正対象項目名】全文
【補正方法】変更
【補正の内容】
【実用新案登録請求の範囲】
【請求項１】
使用者が自由に文字、イラストを描くことが可能な上面からなる食器と、前記食器の上面形状並びに大きさと略同一の透明カバーとからなり、前記食器に前記透明カバーを重ねて使用するように構成した食器。
【請求項２】
前記透明カバーの一部に、文字、イラストの装飾をした請求項１記載の食器。